(57)【要約】【課題】製氷機などの氷貯蔵庫で相互くっついている状態の氷が分離されながら円滑に投出できることによって、従来の製氷機などにおいてオーガー組立体と離隔されている氷が投出されない問題点を解決するオーガー組立体を提供する。【解決手段】本発明に係る氷搬送用オーガー組立体は、製氷機に備えられる氷貯蔵庫の下部に設けられ、氷投出口側に氷を搬送させるスクリュー羽根が設けられるオーガーと、オーガーのスクリュー羽根によって所定の回転軸を回転中心にしてスクリュー羽根の回転方向と直角に回転されるホイール、及びホイールが回転可能に固設されるホイールブラケットを含む。ここで、ホイールはホイールの直径方向に突出される多数の突起部がホイールの外周面に形成される。【選択図】      図２Ａ
2004301486.tif 000002
【特許請求の範囲】
【請求項１】
製氷機などに備えられる氷貯蔵庫の下部に設けられ、氷投出口側に氷を搬送させるスクリュー羽根が設けられるオーガーと、
前記オーガーのスクリュー羽根によって所定の回転軸を回転中心にして前記スクリュー羽根の回転方向と直角に回転されるホイールと、
該ホイールが回転自在に固設されるホイールブラケットと、を含むオーガー組立体。
【請求項２】
前記ホイールは、
前記ホイールの直径方向に突出される多数の突起部が前記ホイールの外周面に形成されることを特徴とする請求項１に記載のオーガー組立体。
【請求項３】
前記ホイールは、その両側面にそれぞれ一つ以上の側面羽根片が形成されることを特徴とする請求項２に記載のオーガー組立体。
【請求項４】
前記ホイールは、その両側面にその回転軸を中心から放射状に延びる多数のリブが形成されることを特徴とする請求項３に記載のオーガー組立体。
【請求項５】
前記ホイールの両側面に形成された側面羽根片は、その長手方向に延びる線が同一線上に位置されないように形成されることを特徴とする請求項３または４に記載のオーガー組立体。
【請求項６】
前記ホイールブラケットは、
前記ホイールの回転軸が軸設されるよう回転軸穴が形成される一対のアーム部材と、
該一対のアーム部材が氷貯蔵筒に固設されるようにする取付け部と、を含むことを特徴とする請求項１または４に記載のオーガー組立体。
【請求項７】
前記一対のアーム部材の内側壁は、
前記オーガーのスクリュー羽根側に向かって斜めに形成されることを特徴とする請求項６に記載のオーガー組立体。
【請求項８】
前記取付け部の下部は、
前記オーガーのスクリュー羽根側に向かって斜めに形成されることを特徴とする請求項７に記載のオーガー組立体。
【発明の詳細な説明】
【０００１】
【発明の属する技術分野】
本発明は製氷機、冷蔵庫などにおいて氷投出口側に氷を搬送させるオーガー組立体に係り、さらに具体的には氷貯蔵庫内で相互くっついている氷を効果的に分離しつつ搬送させ投出できる改善された構造を有するオーガー組立体に関する。
【０００２】
【従来の技術】
一般に、製氷機や冷蔵庫などにはその氷貯蔵庫に貯蔵された氷を氷投出口側に搬送させるオーガー組立体が備えられている（例えば、特許文献１を参照）。
【０００３】
図１は一般のオーガー組立体が備えられた製氷機を概略的に示す断面図である。
【０００４】
一般に、製氷機は供給された水を冷却させ氷を作る装置であって、図１に示した通りケース１０、製氷ユニット２０及び冷凍システム３０を含んで構成される。
【０００５】
ケース１０の内部には製氷ユニット２０で作られた氷を貯蔵するための氷貯蔵庫１１が備えられ、氷貯蔵庫１１の下部には圧縮機３１と凝縮機３２を含む冷凍システム３０が設けられる。
【０００６】
製氷ユニット２０は水が充填される水トレイ２１と、冷却板２３及び蒸発管２５で構成され、冷却板２３の下部面には水中に浸漬されその周縁部に氷が成長する多数の冷却突起（図示せず）が形成される。
【０００７】
このように構成される製氷機において、冷凍システム３０と連結される蒸発管２５に冷媒が流れれば、この冷媒の熱交換によって冷却板２３及び冷却突起が冷却され氷が凍る。
【０００８】
そして、このように凍った氷が氷貯蔵庫１１に集まり、使用者の必要に応じて氷投出口１３から排出される。この際、氷を氷投出口１３側に搬送させるオーガー４０が氷貯蔵庫１１の底面に設けられる。
【０００９】
オーガー４０は、駆動モータ（図示せず）の回転によって回転される回転軸４１と、この回転軸４１の外周面に沿って螺旋方向に設けられたスクリュー羽根４３を含んで構成される。従って、回転軸４１が回転されれば、氷がオーガー４０のスクリュー羽根４３に沿って氷投出口１３側に移動し、最終的に氷貯蔵庫１１から排出される。
【００１０】
しかし、以上のような従来のオーガー４０は、氷貯蔵庫１１の幅が大きく氷を搬送させるオーガー４０が氷貯蔵庫１１の中央部に配置されるため、オーガー４０のスクリュー羽根４３と離隔された氷貯蔵庫１１の氷がよく排出されないか、氷が製造された後長時間使用しない場合は相互くっついて搬送されない問題点があった。すなわち、スクリュー羽根４３と離隔されている氷は互いにくっついて大きな塊になり、この大きな塊は結局オーガー４０のスクリュー羽根４３による搬送が不可能になる問題点があった。
【００１１】
【特許文献１】
韓国登録実用新案公報２０−０１９１３６７号
【００１２】
【発明が解決しようとする課題】
本発明は前述した問題点を解決するために案出されたもので、氷が製造された後長時間使用しなくて相互くっつく場合、またはオーガー組立体の螺旋羽根と離隔され排出されない場合、これを効果的に搬送させ投出できる改善された構造のオーガー組立体を提供することにある。
【００１３】
【課題を解決するための手段】
前述した目的を達成するための本発明に係る氷搬送用オーガー組立体は、製氷機などに備えられる氷貯蔵庫の下部に設けられ、氷投出口側に氷を搬送させるスクリュー羽根が設けられるオーガー（ａｕｇｅｒ）と、該オーガーのスクリュー羽根によって、所定の回転軸を回転中心にして前記スクリュー羽根の回転方向と直角に回転されるホイール、及び前記ホイールが回転自在に固設されるホイールブラケットを含む。
【００１４】
ここで、前記ホイールは前記ホイールの直径方向に突出される多数の突起部が前記ホイールの外周面に形成される。
【００１５】
また、前記ホイールはその両側面にそれぞれ一つ以上の側面羽根片が形成されることが望ましい。
【００１６】
本発明の望ましい実施の形態によれば、前記ホイールはその両側面にその回転軸を中心から放射状に延びる多数のリブが形成される。
【００１７】
また、前記ホイールの両側面に形成された側面羽根片はその長手方向に延びる線が同一線に位置されないように形成することが望ましい。
【００１８】
一方、前記ホイールブラケットは前記ホイールの回転軸が軸設されるよう回転軸穴が形成される一対のアーム部材、及び該一対のアーム部材が氷貯蔵筒に固設されるようにする取付け部を含む。
【００１９】
ここで、前記一対のアーム部材の内側壁は前記オーガーのスクリュー羽根側に向かって斜めに形成されることが望ましい。
【００２０】
また、前記取付け部の下部は前記オーガーのスクリュー羽根側に向かって斜めに形成されることが望ましい。
【００２１】
【発明の実施の形態】
以下、添付した図面に基づき本発明の望ましい実施の形態を詳述する。参考に、本発明の実施の形態を説明するにあたって、従来とその構成及び作用が同一な部分については同一な参照符号を付して引用する。
【００２２】
図２Ａは本発明の一実施の形態によるオーガー組立体を概略的に示す斜視図であり、図２Ｂは図２Ａに示したオーガー組立体を概略的に示す平面図である。
【００２３】
本発明の一実施の形態によるオーガー組立体１００は、スクリュー羽根１１５が設けられるオーガー１１０と、氷貯蔵庫１１（図１参照）の氷を混ぜるホイール１３０及び、かかるホイール１３０が設けられて固定されるホイールブラケット１２０を含む。
【００２４】
オーガー１１０は、駆動モータ（図示せず）の駆動力によって回転するオーガー回転軸１１１とオーガー回転軸１１１の外周面に沿って螺旋方向に設けられるスクリュー羽根１１５を含んで構成される。このオーガー回転軸１１１の一側は駆動モータの軸と軸連結され、他側は製氷機などの氷貯蔵庫１１の側壁に回転自在に支持される。従って、駆動モータによってオーガー回転軸１１１が回転されれば、その外周面に設けられたスクリュー羽根１１５がこれと連動して回転されスクリュー羽根１１５に沿って氷が搬送される。
【００２５】
この際、製氷機などのケース１０（図１参照）に設けられる氷投出口１３（図１参照）側のオーガー回転軸１１１が駆動モータ側より上側に位置するよう氷貯蔵庫１１の底面中央部に設けられる。このように斜めに設置することによって、氷貯蔵庫１１の下側に存する氷も氷投出口側１３に搬送できるのみならず、さらに氷貯蔵庫１１の上下空間を効率的に用いることができる。この際、氷貯蔵庫１１の内部形状はオーガー１１０側に集まる形状に形成することが望ましい。このような形状によってオーガー１１０側に氷が集まり、氷貯蔵庫１１に貯蔵された氷の量が多くない場合も効果的に搬送させうる。
【００２６】
このようなオーガー回転軸１１１とスクリュー羽根１１５の製造は一般的に用いられる方法によって製造されるため、それに対する説明は省く。
【００２７】
ホイール１３０は、オーガー１１０のスクリュー羽根１１５によって所定の回転軸１３１を回転中心にしてオーガー回転軸１１１の回転方向と直角に回転される。このホイール１３０の両側面にはその回転中心から放射状に延びる多数のリブ１３３が形成される。これによりホイール１３０が回転しつつ、その側面の氷に摩擦力が働いて相互くっついていた氷が分離されうる。
【００２８】
一方、このようなホイール１３０の外周面には多数の突起部１３５が形成される。このような突起部１３５はオーガー１１０のスクリュー羽根１１５と、例えばウォームギアのような構造で連結される。従って、オーガー１１０のスクリュー羽根１１５が回転されれば、これとウォームギア連結されたホイール１３０が回転される。すなわち、オーガー１１０のスクリュー羽根１１５はウォームの機能を果たし、多数の突起部１３５が形成されたホイール１３０はウォームギアの機能を果たす。
【００２９】
また、このような突起部１３５はホイール１３０とオーガー１１０のスクリュー羽根１１５をウォームギア連結を行なうだけではなく、ホイール１３０が回転しつつこれと連動され回転されることによって、氷貯蔵庫に貯蔵された氷を上下に混ぜる機能を果たす。本実施の形態では突起部１３５が７つ形成されたホイール本体についてだけ示しかつ説明したが、これに限定されず別の個数で形成されたホイール１３０を適用可能なことも勿論である。
【００３０】
また、ホイール１３０の両側面には多数の側面羽根片１３７が形成される。本発明の望ましい実施の形態によれば、一側面と他側面に形成された側面羽根片１３７は、図２Ｂに示した通り、それぞれその長手方向に延びる線が同一線上に位置されない。これにより、１回転によって２回回転する効果を奏でて、氷を効率的に混ぜることができる。
【００３１】
ホイールブラケット１２０は、このようにウォームギア連結され回転するホイール１３０を回転自在に支持する。ホイールブラケット１２０は、ホイールの回転軸１３１が軸設されるように回転軸孔１２１が形成される一対のアーム部材１２３と、スクリューなどの締結手段によって氷貯蔵庫１１の内側壁に固設されるようにする取付部１２５を含む。この際、スクリュー孔が形成されたホイールブラケット１２０の取付部１２５の下部と、一対のアーム部材１２３の内側壁はオーガー１１０のスクリュー羽根１１５側に向かって斜めに形成される。これにより、氷貯蔵庫１１の氷がホイール１３０の回転などによって上下に混ざって分離され下方に落ちる時、スクリュー羽根１１５側に落下するようになって氷の搬送及び投出が効率よくなされる。
【００３２】
以下、図１、図２Ａないし図２Ｂを参照して製氷機などに設けられるオーガー組立体の作動について説明する。
【００３３】
ケース１０、製氷ユニット２０及び冷凍システム３０を含んで構成される製氷機において、ケース１０の内部には製氷ユニット２０で作られた氷を貯蔵するための氷貯蔵庫１１が備えられる。氷貯蔵庫１１の下部には圧縮機３１と凝縮機３２を含む冷凍システム３０が設けられる。製氷ユニット２０は水が充填される水トレイ２１と、冷却板２３及び蒸発管２５を含む。この冷却板２３の下部面には水中に浸漬されその周縁に氷が生成される多数の冷却突起（図示せず）が設けられる。蒸発管２５は冷却板２３の上部面に設けられ、冷凍システム３０と連結され、この蒸発管２５内に冷媒が流れて冷媒の熱交換による冷却板２３及び冷却突起が冷却される。
【００３４】
このように冷却突起の周縁部に水が結氷され形成された氷が生成されれば、蒸発管２５内には凝縮機３２を経ず圧縮機３１から吐き出された高熱の冷媒が直接に供給され氷が冷却突起から取れるようになり、氷貯蔵庫１１に積もる。
【００３５】
その後、使用者によって氷投出が必要になる時、氷投出レバー（図示せず）などの作動によって駆動モータが作動され、よってオーガー回転軸１１１が回転する。オーガー回転軸１１１の回転と同期してスクリュー羽根１１５が回転しつつ、この羽根に沿って氷が氷貯蔵庫１１の氷投出口１３側に搬送される。この際、オーガー１１０のスクリュー羽根１１５とウォームギア連結されたホイール１３０が回転する。
【００３６】
このように回転されるホイール１３０の外周面に形成された多数の突起部１３５と、その両側面に形成された多数の側面羽根片１３７及び多数のリブ１３３により氷が上下に混ざって、くっついていた氷が分離される。
【００３７】
このように分離された氷がスクリュー羽根１１５に沿って搬送できるので、氷貯蔵庫１１のスクリュー羽根１１５側に存する氷だけではなく、全体を均一に投出させうる。また、上下に混ざった氷が氷貯蔵庫１１の下方に落下する時、スクリュー羽根１１５側に斜めに形成されたホイールブラケット１２０の一対のアーム部材１２３の内側壁と取付部１２５によりスクリュー羽根１１５側に落ちるようになることで、効率的な氷投出がなされうる。
【００３８】
以上で本発明の一実施の形態を説明するにあたって、製氷機に設けられたオーガー組立体について説明したが、本発明の一実施の形態によるオーガー組立体は製氷機だけではなく、冷蔵庫などのように氷を貯蔵したり生成する装置にも用いられる。
【００３９】
【発明の効果】
以上述べた通り、本発明によれば製氷機などの氷貯蔵庫で相互くっついている状態の氷が分離されながら円滑に投出できるようにすることで、従来の製氷機などにおいてオーガー組立体と離隔されている氷が投出されない問題点を解決することができる。
【００４０】
以上本発明を説明するための望ましい実施の形態と関連して示しかつ説明したが、本発明はそのように示しかつ説明されたそのままの構成及び作用に限定されることではない。かえって、特許請求の範囲の思想及び範疇を逸脱せず本発明に対する多数の変更及び修正が可能なことを当業者はよく理解できろう。従って、そのような全ての適切な変更及び修正と均等物も本発明の範囲に属することと見做されるべきである。
【図面の簡単な説明】
【図１】従来の一般的なオーガー式製氷機を概略的に示す製氷機の断面図である。
【図２Ａ】本発明の一実施の形態による製氷機のオーガー組立体を概略的に示す斜視図である。
【図２Ｂ】図２Ａに示したオーガー組立体の概略的な平面図である。
【符号の説明】
１００  オーガー組立体
１１０  オーガー
１１１  オーガー回転軸
１１５  スクリュー羽根
１２０  ホイールブラケット
１２１  回転軸孔
１２３  アーム部材
１２５  取付部
１３０  ホイール
１３１  ホイール回転軸
１３３  リブ
１３５  突起部
１３７  側面羽根片
【図１】
2004301486.tif 000003
【図２Ａ】
2004301486.tif 000004
【図２Ｂ】
2004301486.tif 000005